(57)【特許請求の範囲】
【請求項１】
複数の機能が内蔵されていて、各機能に対応する操作スイッチが操作パネル上に設けられている電子楽器において、
前記電子楽器の前に人がいるか否かを検出する検出手段と、
前記検出手段の検出出力に基づいて、操作すべきスイッチが何れであるのかを前記電子楽器の前にいる人に報知する報知手段と、
前記検出手段により、電子楽器の周囲にいると検出された人が、前記電子楽器の前から遠ざかっていないと判断した場合に、電子楽器の動作状態をスイッチ押下処理状態とする制御手段とを具備することを特徴とする電子楽器。
【請求項２】
前記周囲の人の存在を検出する検出手段は、赤外線投光器と赤外線受光器とからなる赤外線センサにより構成されていることを特徴とする請求項１に記載の電子楽器。
【請求項３】
前記複数の機能は、種々の音色で演奏する機能を含むことを特徴とする請求項１または２の何れか１項に記載の電子楽器。
【請求項４】
前記報知手段は、各機能に対応して配設されたＬＥＤを点滅させることを特徴とする請求項１〜３の何れか１項に記載の電子楽器。
【請求項５】
電子楽器の前に人がいるか否かを検出し、電子楽器の前に人がいる場合には、前記電子楽器の前にいる人が近づいてきたのか、遠ざかっているのかを判断し、人が近づいてきたと判断したときは、操作すべきスイッチに対応するＬＥＤを点滅させ、また、前記人が電子楽器の前から遠ざかっていると判断したときは、ＬＥＤが点滅しているか否かを調べ、前記ＬＥＤが点滅していればその点滅を中止させる処理を行うことを特徴とする請求項４に記載の電子楽器。
【発明の詳細な説明】
【０００１】
【発明の属する技術分野】
本発明は電子楽器に係わり、特に、周囲に人が存在するのを検出して、演奏に関する操作を促すようにする電子楽器に関する。
【０００２】
【従来の技術】
近年、電子回路の発達に伴って、電子楽器には様々な機能が搭載されるようになっている。例えば、自動伴奏機能や録音機能等が種々の電子楽器に搭載されている。前記自動伴奏機能とは、色々な種類の音楽の伴奏を自動的に再生することにより、演奏者がこれに合わせてメロディーを弾くだけで、あたかも大勢でアンサンブルを行っているように演奏することができる機能である。
【０００３】
また、録音機能とは、演奏した状態を記録する機能であり、録音した演奏を再生して聞くことができるようになっている。また、再生音に重ねてさらに演奏者が演奏をすることもできるように構成されているので、前記録音機能を上手く使うことにより、演奏者一人で、多人数のような演奏を自在に行うことができるようになる。
【０００４】
前述のように、最近の電子楽器には様々な機能が搭載されているために、通常のアコースティック楽器にはできないような、いろいろな楽しみ方ができる利点がある。
【０００５】
【発明が解決しようとする課題】
電子楽器に設けられている様々な機能を使用するために、その機能を選択するための種々の操作スイッチが設けられている。特に、自動伴奏機能の場合には、いろいろな種類の音楽の伴奏を選択する必要があるので、たくさんの操作スイッチが必要である。
【０００６】
その結果、電子楽器のパネルには、様々な機能を実現するための操作スイッチがどんどん増えてしまい、初心者にとっては、まず演奏するのにどの操作スイッチを操作すればよいのかわからず、電子楽器は難しいという印象をあたえてしまう問題があった。
【０００７】
そこで、例えば音色スイッチなどのように、基本的な演奏に必要であり、しかも重要なスイッチを、他の一般的なスイッチよりも大きくしたり、または色を変えて目立つようにしたりすることが従来より行われていた。しかし、どのスイッチをどのようなタイミングで操作すべきかについては、直感的には分からないので、初心者には上手く操作することができない問題があった。
【０００８】
本発明は前述の問題点にかんがみ、操作すべきスイッチを誰にでも直ぐに分かるようにすることを目的とする。
【０００９】
【課題を解決するための手段】
本発明の電子楽器は、複数の機能が内蔵されていて、各機能に対応する操作スイッチが操作パネル上に設けられている電子楽器において、前記電子楽器の前に人がいるか否かを検出する検出手段と、前記検出手段の検出出力に基づいて、操作すべきスイッチが何れであるのかを前記電子楽器の前にいる人に報知する報知手段と、前記検出手段により、電子楽器の周囲にいると検出された人が、前記電子楽器の前から遠ざかっていないと判断した場合に、電子楽器の動作状態をスイッチ押下処理状態とする制御手段とを具備することを特徴としている。
【００１０】
また、本発明の他の特徴とするところは、前記周囲の人の存在を検出する検出手段は、赤外線投光器と赤外線受光器とからなる赤外線センサにより構成されていることを特徴としている。
【００１１】
また、本発明のその他の特徴とするところは、前記複数の機能は、種々の音色で演奏する機能を含むことを特徴としている。
【００１２】
また、本発明のその他の特徴とするところは、前記報知手段は、各機能に対応して配設されたＬＥＤを点滅させることを特徴としている。
【００１３】
また、本発明のその他の特徴とするところは、電子楽器の前に人がいるか否かを検出し、電子楽器の前に人がいる場合には、前記電子楽器の前にいる人が近づいてきたのか、遠ざかっているのかを判断し、人が近づいてきたと判断したときは、操作すべきスイッチに対応するＬＥＤを点滅させ、また、前記人が電子楽器の前から遠ざかっていると判断したときは、ＬＥＤが点滅しているか否かを調べ、前記ＬＥＤが点滅していればその点滅を中止させる処理を行うことを特徴としている。
【００１４】
本発明は前記技術手段を有するので、電子楽器の前に人がいるか否かに応じて操作すべきスイッチが何れであるのかを前記電子楽器の前にいる人に報知することができ、例えば音色スイッチなどのように、基本的な演奏に必要なスイッチを容易に、かつ確実に操作することが可能となり、電子楽器の操作に習熟していなくても落ちついて操作することができるようになる。
また、電子楽器の周囲にいると検出された人が、前記電子楽器の前から遠ざかっていないと判断した場合に、電子楽器の動作状態がスイッチ押下処理状態とされるので、電子楽器の周囲に人が存在している場合においては、何時でも直ぐに演奏可能な演奏準備状態としておくことができる。
【００１５】
【発明の実施の形態】
以下、本発明の電子楽器の一実施形態を図面を参照して説明する。
【００１６】
図１は、本実施形態の電子楽器の外観を示す斜視図である。図１に示したように、本実施形態の電子楽器においては、演奏者と対面する中央部の位置に、人の有無判別手段５が取り付けられている。
【００１７】
図２は、本実施形態の人の有無判別手段５の動作を示すものであり、前記人の有無判別手段５が演奏者Ｐとの距離Ｌを計測し、電子楽器の周囲に演奏する人が存在しているか否かを検知する様子を示している。
【００１８】
図３は、人の有無判別手段５の構成例を示すブロック図である。図３に示したように、本実施形態の人の有無判別手段５は、赤外線投光器５１、赤外線受光器５２、Ａ／Ｄ変換器５３、比較器５４、基準値格納メモリ５５、遅延メモリ５６、判別器５７等によって構成されている。
【００１９】
このような構成により、前記赤外線投光器５１から放射された赤外線が演奏者Ｐにより反射されると、その反射光が前記赤外線受光器５２により受光される。そして、赤外線受光器５２の受光出力は、Ａ／Ｄ変換器５３によりＡ／Ｄ変換された後、比較器５４の第１の入力端子に与えられる。
【００２０】
前記比較器５４の第２の入力端子には、基準値格納メモリ５５に格納されている基準値が入力されていて、前記基準値と前記赤外線受光器５２の受光出力とが比較される。
【００２１】
この比較の結果、前記赤外線受光器５２の受光出力が前記基準値よりも小さいと、電子楽器の前には演奏者がいないと判断される。その反対に、前記赤外線受光器５２の受光出力が前記基準値よりも大きい場合には、電子楽器の前に演奏者Ｐが存在すると判定される。
【００２２】
前記比較器５４の判定出力は判別器５７の第１の入力端子に与えられるとともに、遅延メモリ５６を介して判別器５７の第２の入力端子に与えられ、電子楽器の前にいる人が近づいているのか、その反対に遠ざかっているのかが判断されるように構成されている。
【００２３】
すなわち、判別器５７の第１の入力端子に直接与えられている比較回路５４の現時点の出力の方が、メモリ５７によって所定時間だけ遅延された過去の出力よりも大きい場合には、電子楽器の前にいる人が近づいていると判断する。その反対に、遅延メモリ５６を介して判別器５７の第２の入力端子に与えられている比較回路５４の過去の出力の方が現時点の出力よりも大きい場合には、電子楽器の前にいる人が遠ざかっている判断している。
【００２４】
本実施形態においては、電子楽器の前にいる人が近づいていると判断した場合には、パネルスイッチの音色スイッチを誰にでも直ぐに分かるように表示するようにしている。
【００２５】
図４は、パネルスイッチの一例を示している。ここには、ボリュームスイッチ４１、トランスポーズスイッチ４２、音色選択スイッチ４３が配置されている。そして、音色スイッチ４３として、本実施形態においてはピアノ４３ａ、電子ピアノ４３ｂ、オルガン４３ｃ、ハープシコード４３ｄ、ストリングス４３ｅが設けられており、それぞれの音色スイッチに対応してＬＥＤが配置されている。
【００２６】
このような構成において、本実施形態の場合には前記判別器５７の判別出力により、電子楽器の前の人が近づいてきたと判断したときには、前記ＬＥＤを点滅させることにより、電子楽器の前にいる人が容易に操作できるようにしている。なお、前記ＬＥＤの代わりに、他の発光素子を用いることができる。
【００２７】
以下に、本実施形態の電子楽器の構成及び動作を、さらに詳細に説明する。図５は、本実施形態の電子楽器のシステム構成図である。図５において、１はマイクロコンピュータであり、ＣＰＵ２、ＲＯＭ３、ＲＡＭ４等によって構成されている。前記マイクロコンピュータ１は、本実施形態の電子楽器の全体制御を行うためのものである。
【００２８】
５は前述した人の有無判別手段であり、前述したように距離センサ及びＡ／Ｄ変換器等によって構成されている。６はパネル、７はペダル、８は鍵盤部、９はタッチセンサである。また、１０は楽音発生部、１１はＤ／Ａ変換器、１２はサウンドシステム、１５はバスライン、２０はＭＩＤＩインターフェースである。
【００２９】
前記ＣＰＵ２、ＲＯＭ３、ＲＡＭ４、人の有無判別手段５、タッチセンサ９、楽音発生部１０はデータバス、アドレスバス等のバスライン１５にそれぞれ接続されて、相互にデータの送受信が行われるように構成されている。
【００３０】
前記ＣＰＵ２は、ＲＯＭ３に格納されたプログラムや音色データに従って鍵盤部８の各鍵スイッチのスキャン処理および操作パネル部６の各操作子のスキャン処理を行い、鍵盤部８の各鍵の操作状態（押鍵、離鍵、操作された鍵のキーナンバ、鍵の動作スピードに関するベロシティ等）および操作パネル部６の各操作子の操作状態を検出し、各鍵または操作子の操作に応じて後述する各処理を実行するようにしている。
【００３１】
ＲＯＭ３には、ＣＰＵ２で行う作業プログラムおよび演奏する曲の音色を決定する波形データが格納されている。
ＲＡＭ４は、前記ＣＰＵ２の各種処理の実行過程において各種の情報を一時的に記憶したり、各種処理の結果として得られる情報を記憶したりするために設けられているものである。
【００３２】
前述したように、人の有無判別手段５は電子楽器の前に人間が居るか否かを判別するのみならず、電子楽器の前にいる人が近づいてきたのか、その反対に遠ざかっているのかを判別している。
【００３３】
楽音発生部１０は、複数の楽音発生チャンネルを備え、複数の楽音を同時に発生可能なように構成されている。そして、この楽音発生部１０は、ＣＰＵ２から送られてくる情報や、各操作子の操作状況等により設定された楽音パラメータ情報等に基づいてディジタルデータ形式の楽音データを生成する。なお、この楽音発生部１０には、ディジタルフィルタ、ディジタル効果付加回路等も含まれている。
【００３４】
この楽音発生部１０で生成された楽音データは、Ｄ／Ａ変換器１１に与えられてアナログの楽音信号に変換され、このアナログに変換された楽音信号がサウンドシステム１２に与えられ、増幅器で増幅されてスピーカ（共に図示せず）を介して発音される。
【００３５】
次に、図６〜図９のフローチャートを参照しながら本実施形態の電子楽器の動作を詳細に説明する。
図６は、本実施形態の電子楽器の概略動作を示すメインルーチンのフローチャートである。図６に示したように、電源がオンされて動作がスタートすると、先ず、ステップＳ２１においてＣＰＵ２、ＲＡＭ４、音源ＬＳＩ（図示せず）等が初期化される。その後、パネルイベント処理（ステップＳ２２）、ペダルイベント処理（ステップＳ２３）、鍵盤イベント処理（ステップＳ２４）、その他の処理（ステップＳ２５）等が順次繰り返し行われる。
【００３６】
図７は、パネルイベント処理の内容を説明するためのフローチャートである。ここでは、まず、ステップＳ７１において、距離センサの出力に基づいて、周囲に人が存在するか否かを検知する。距離センサの出力は、Ａ／Ｄ変換によってディジタル化され、前記ディジタル化されたデータに基づいて、電子楽器の周囲に人が存在するか否かが監視される。
【００３７】
ステップＳ７１において、センサ出力が発生すると、次に、ステップＳ７２に進み、待機状態か否かが判断される。なお、電源を入れたときには、メインルーチンの初期化処理で待機状態フラグがオンされる。
【００３８】
前記待機状態フラグがオンされて待機状態である場合には、ステップＳ７３に進み、電子楽器の周囲の人が近づいてきたか否かを判断する。そして、人が近づいてきたと判断した場合には、ステップＳ７４において音色スイッチなど操作すべきスイッチに対応するＬＥＤを点滅させる。その後、ステップＳ７５において待機状態フラッグをオフにしてメインルーチンに戻る。なお、ステップＳ７３の判断の結果、人が近づいたのではない場合には、ステップＳ７３から直接メインルーチンに戻る。
【００３９】
また、ステップＳ７２の判断の結果、待機状態でない場合にはステップＳ７６に進み、人が遠ざかっていったか否かを判断する。この判断の結果、人が遠ざかっていった場合にはステップＳ７７に進み、ＬＥＤが点滅しているか否かを判断する。
【００４０】
この判断の結果、ＬＥＤが点滅していたらステップＳ７８においてその点滅を中止し、その後、ステップＳ７９において待機状態フラッグをオンにしてメインルーチンに戻る。また、ステップＳ７７の判断の結果、ＬＥＤが点滅していなかった場合にはステップＳ７９に直接ジャンプする。
【００４１】
一方、前記ステップＳ７６の判断の結果、人が遠ざかっていない場合には、周囲に人が存在していると判断して、ステップＳ８０に進み、演奏準備として後述のスイッチ押下処理を行う。
【００４２】
図８は、スイッチ押下処理の内容を示すフローチャートである。
ここでは、まず、ステップＳ３１において、押下されたスイッチが音色スイッチであるか否かを判断する。そして、前記押下されたスイッチが音色スイッチである場合には、ステップＳ３２に進んで、ＬＥＤが点滅しているか否かを判断する。
【００４３】
ステップＳ３２の判断の結果、ＬＥＤが点滅してしたらステップＳ３３にてその点滅を中止し、その後、ステップＳ３４にて音色選択処理を行い、その後、メインルーチンに戻る。また、ステップＳ３２の判断の結果、ＬＥＤが点滅状態でなかった場合には、ステップＳ３３の処理をジャンプして、ステップＳ３４に直接進んで、音色選択処理を行う。
【００４４】
また、ステップＳ３１の判断の結果、押下されたスイッチが音色スイッチでない場合には、ステップＳ３５に進み、前記押下されたスイッチが音量スイッチであるか否かを判断する。そして、そのスイッチが音量スイッチである場合には、ステップＳ３６にて音量設定処理を行ってメインルーチンに戻る。
【００４５】
一方、ステップＳ３５の判断の結果、前記押下されたスイッチが音量スイッチでない場合には、ステップＳ３７に進み、押下されたスイッチがその他のスイッチであるか否かを判断する。この判断の結果、押下されたスイッチがスイッチがその他のスイッチである場合には、ステップＳ３８においてその他の処理を行ってメインルーチンに戻る。
【００４６】
また、ステップＳ３７の判断の結果、どのスイッチも押下されていない場合にはメインルーチンに直接戻るようにする。
【００４７】
図９は、鍵盤イベント処理を示すフローチャートである。ここでは、まず、ステップＳ９１において、オンイベントであるか否かを判断する。この判断の結果、オンイベントであった場合には、ステップＳ９２に進み、ＬＥＤが点滅しているか否かを判断する。
【００４８】
ステップＳ９２の判断の結果、ＬＥＤが点滅していたらステップＳ９３においてその点滅を中止した後でステップＳ９４に進む。また、ステップＳ９２の判断の結果、ＬＥＤが点滅していなければ、ステップＳ９４に直接進む。
【００４９】
ステップＳ９４においては、楽音パラメータの演算処理を行う。なお、ＬＥＤが点滅している状態で鍵盤が押されたときは、音色選択操作が行われなかったということなので、デフォルトで決められている音色が選択される。その後、ステップＳ９５にて発音処理を行い、メインルーチンに戻る。
【００５０】
また、ステップＳ９１の判断の結果、オンイベントでない場合には、ステップＳ９６に進んでオフイベントか否かを判断する。この判断の結果、オフイベントの場合には、ステップＳ９７に進み、ダンパーペダルがオンか否かを判断する。この判断の結果、ダンパーペダルがオンならばメインルーチンに直接戻る。また、ダンパーペダルがオンでない場合には、ステップＳ９８にて、リリーススピードを音源ＬＳＩにロードして発音を停止し、その後メインルーチンに戻る。
【００５１】
【発明の効果】
本発明は前述したように、本発明によれば、電子楽器の前に人が近づくと、それが検出手段により検出され、前記検出手段の検出出力に基づいて、操作すべきスイッチが何れであるのかを前記電子楽器の前にいる人に報知するようにしたので、演奏者は操作すべき操作スイッチがどれであるのかを直ぐに判別することができ、演奏に必要な操作を素早く、かつ円滑に行うことができるようになり、電子楽器の操作に習熟していなくても演奏を容易に、かつ確実に行うことができる。
また、本発明の他の特徴によれば、電子楽器の周囲にいると検出された人が、前記電子楽器の前から遠ざかっていないと判断した場合に、電子楽器の動作状態をスイッチ押下処理状態とするようにしたので、前記検出された人が前記電子楽器の前から遠ざかるまで前記電子楽器を演奏準備状態にしておくことができる。
【図面の簡単な説明】
【図１】実施形態の電子楽器の一例を示す斜視図である。
【図２】実施形態の距離センサの動作を示す図である。
【図３】距離センサの構成を示すブロック図である。
【図４】実施形態の電子楽器に設けられたパネルの一例を示す図である。
【図５】本発明の一実施形態を示す電子楽器の要部構成図である。
【図６】実施形態の電子楽器のメインルーチンの動作の概略を示すフローチャートである。
【図７】パネルイベント処理の動作を示すフローチャートである。
【図８】スイッチ押下処理の動作を示すフローチャートである。
【図９】鍵盤イベント処理の動作を示すフローチャートである。
【符号の説明】
１  マイクロコンピュータ
２  ＣＰＵ
３  ＲＯＭ
４  ＲＡＭ
５  人の有無判別手段
６  パネル
７  ペダル
８  鍵盤部
９  タッチセンサ
１０  楽音発生部
１１  Ｄ／Ａ変換器
１２  サウンドシステム
１５  バスライン
２０  ＭＩＤＩインターフェース
【図１】
0003634090.tif 000002
【図２】
0003634090.tif 000003
【図３】
0003634090.tif 000004
【図４】
0003634090.tif 000005
【図５】
0003634090.tif 000006
【図６】
0003634090.tif 000007
【図７】
0003634090.tif 000008
【図８】
0003634090.tif 000009
【図９】
0003634090.tif 000010